(57)【要約】【課題】  周辺機器に記憶されている情報や周辺機器の機能を適切に保護する。【解決手段】  周辺機器１０は、所定の機能を有し、モバイルデバイス２０に接続されて当該モバイルデバイス２０から当該所定の機能が利用される。周辺機器１０は、接続されるモバイルデバイス２０を識別する識別情報を記憶する端末情報記憶部１０５と、接続されたモバイルデバイス２０から、当該モバイルデバイス２０を識別する識別情報を取得する端末情報取得部１０６と、端末情報記憶部１０５に記憶された識別情報と端末情報取得部１０６によって取得された識別情報とを比較する比較部１０７と、比較部１０７による比較結果に基づいて、接続されたモバイルデバイス２０による周辺機器１０の所定の機能の利用を制御する制御部１０９とを備える。【選択図】図１
2010176293.tif 000002
【特許請求の範囲】
【請求項１】
所定の機能を有し、情報端末に接続されて当該情報端末から当該所定の機能が利用される周辺機器であって、
接続される情報端末を識別する識別情報を記憶する端末情報記憶部と、
接続された情報端末から、当該情報端末を識別する識別情報を取得する端末情報取得手段と、
前記端末情報記憶部に記憶された識別情報と前記端末情報取得手段によって取得された識別情報とを比較する比較手段と、
前記接続された情報端末による前記所定の機能の利用を制御するための制御情報を記憶する制御情報記憶部と、
前記比較手段による比較結果と前記制御情報記憶部に記憶された制御情報とに基づいて、前記接続された情報端末による前記所定の機能の利用を制御する制御手段と、
を備える周辺機器。
【請求項２】
前記制御手段は、前記接続された情報端末による前記所定の機能の利用を許可する場合に所定の期限まで利用を許可することを特徴とする請求項１に記載の周辺機器。
【請求項３】
前記情報端末は、所定のサーバ装置との間で通信を行う通信機能を有しており、
前記接続された情報端末の前記通信機能によって取得された、前記接続される情報端末を識別する識別情報を取得して、前記端末情報記憶部に記憶させる端末情報登録手段を更に備えることを特徴とする請求項１又は２に記載の周辺機器。
【請求項４】
前記端末情報登録手段は、前記制御手段によって前記接続された情報端末による前記所定の機能の利用を禁止する制御が行われる場合に、前記接続される情報端末を識別する識別情報を取得して、前記端末情報記憶部に記憶させ、再度、比較手段に対して比較を行わせることを特徴とする請求項３に記載の周辺機器。
【請求項５】
前記情報端末は、所定のサーバ装置との間で通信を行う通信機能を有しており、
前記接続された情報端末の前記通信機能によって取得された、前記制御手段による制御の内容を示す制御情報を取得して、前記制御情報記憶部に記憶させる制御内容登録手段を更に備えることを特徴とする請求項１〜４のいずれか一項に記載の周辺機器。
【請求項６】
前記周辺機器の所定の機能は、情報を記憶する機能であり、
前記制御手段は、前記比較手段による比較結果に基づいて、前記周辺機器の所定の機能によって記憶された情報を消去する、
ことを特徴とする請求項１〜５のいずれか一項に記載の周辺機器。
【請求項７】
所定の機能を有し、情報端末に接続されて当該情報端末から当該所定の機能が利用される周辺機器が接続された情報端末との間で通信を行うサーバ装置であって、
前記周辺機器に接続される情報端末を識別する識別情報、又は周辺機器における制御の内容を示す制御情報を記憶するサーバ装置側記憶部と、
前記情報端末からサーバ装置側情報記憶部に記憶された情報の要求を受信して、当該要求に応じた情報をサーバ装置側情報記憶部から取得して、当該情報端末に送信する情報提供手段と、
を備えるサーバ装置。
【請求項８】
請求項１〜６のいずれか一項に記載の周辺機器と、前記接続された情報端末とを含んで構成される情報システム。
【請求項９】
請求項３又は５に記載の周辺機器と、請求項７に記載のサーバ装置とを含んで構成される情報システム。
【請求項１０】
請求項３又は５に記載の周辺機器と、請求項７に記載のサーバ装置と、前記サーバ装置との間で通信を行う通信機能を有する情報端末と、を含んで構成される情報システム。
【請求項１１】
所定の機能を有し、情報端末に接続されて当該情報端末から当該所定の機能が利用されると共に、接続される情報端末を識別する識別情報を記憶する端末情報記憶部と接続された情報端末による前記所定の機能の利用を制御するための制御情報を記憶する制御情報記憶部とを備える周辺機器による制御方法であって、
接続された情報端末から、当該情報端末を識別する識別情報を取得する端末情報取得ステップと、
前記端末情報記憶部に記憶された識別情報と前記端末情報取得ステップにおいて取得された識別情報とを比較する比較ステップと、
前記比較ステップにおける比較結果と前記制御情報記憶部に記憶された制御情報とに基づいて、前記接続された情報端末による前記所定の機能の利用を制御する制御ステップと、
を含む制御方法。
【請求項１２】
前記情報端末は、所定のサーバ装置との間で通信を行う通信機能を有しており、
前記接続された情報端末の前記通信機能によって取得された、前記接続される情報端末を識別する識別情報を取得して、前記端末情報記憶部に記憶させる端末情報登録ステップを更に含むことを特徴とする請求項１１に記載の制御方法。
【請求項１３】
前記情報端末は、所定のサーバ装置との間で通信を行う通信機能を有しており、
前記接続された情報端末の前記通信機能によって取得された、前記制御手段による制御の内容を示す制御情報を取得して、前記制御情報記憶部に記憶させる制御内容登録ステップを更に含むことを特徴とする請求項１１又は１２に記載の制御方法。
【請求項１４】
所定の機能を有し、情報端末に接続されて当該情報端末から当該所定の機能が利用される周辺機器が接続された情報端末との間で通信を行うと共に、前記周辺機器に接続される情報端末を識別する識別情報、又は周辺機器における制御の内容を示す制御情報を記憶するサーバ装置側記憶部を備えるサーバ装置による制御方法であって、
前記情報端末からサーバ装置側情報記憶部に記憶された情報の要求を受信して、当該要求に応じた情報をサーバ装置側情報記憶部から取得して、当該情報端末に送信する情報提供ステップを含む制御方法。
【請求項１５】
所定の機能を有し、情報端末に接続されて当該情報端末から当該所定の機能が利用されると共に、接続される情報端末を識別する識別情報を記憶する端末情報記憶部と接続された情報端末による前記所定の機能の利用を制御するための制御情報を記憶する制御情報記憶部とを備える周辺機器と、前記接続された情報端末とを含んで構成される情報システムによる制御方法であって、前記周辺機器による請求項１１に記載の制御方法を含むことを特徴とする制御方法。
【請求項１６】
所定の機能を有し、情報端末に接続されて当該情報端末から当該所定の機能が利用されると共に、接続される情報端末を識別する識別情報を記憶する端末情報記憶部と接続された情報端末による前記所定の機能の利用を制御するための制御情報を記憶する制御情報記憶部とを備える周辺機器と、当該周辺機器が接続された情報端末との間で通信を行うと共に、前記周辺機器に接続される情報端末を識別する識別情報、又は周辺機器における制御の内容を示す制御情報を記憶するサーバ装置側記憶部を備えるサーバ装置とを含んで構成される情報システムによる制御方法であって、前記周辺機器による請求項１１に記載の制御方法と前記サーバ装置による請求項１４に記載の制御方法とを含むことを特徴とする制御方法。
【請求項１７】
所定の機能を有し、情報端末に接続されて当該情報端末から当該所定の機能が利用されると共に、接続される情報端末を識別する識別情報を記憶する端末情報記憶部と接続された情報端末による前記所定の機能の利用を制御するための制御情報を記憶する制御情報記憶部とを備える周辺機器と、当該周辺機器が接続された情報端末との間で通信を行うと共に、前記周辺機器に接続される情報端末を識別する識別情報、又は周辺機器における制御の内容を示す制御情報を記憶するサーバ装置側記憶部を備えるサーバ装置と、前記サーバ装置との間で通信を行う通信機能を有する情報端末とを含んで構成される情報システムによる制御方法であって、前記周辺機器による請求項１１に記載の制御方法と前記サーバ装置による請求項１４に記載の制御方法とを含むことを特徴とする制御方法。
【発明の詳細な説明】
【技術分野】
【０００１】
本発明は、所定の機能を有し、情報端末に接続されて当該情報端末から当該所定の機能が利用される周辺機器、当該周辺機器の制御に用いられるサーバ装置、及び当該周辺機器を含む情報システム、並びにこれらによる制御方法に関する。
【背景技術】
【０００２】
デスクトップパソコン、ノートパソコン、携帯電話、スマートフォン、ＰＤＡ（PersonalDigital Assistant）等、多岐多様な情報端末が普及し、誰でもいつでも情報端末を利用できるような環境が一般的になりつつある。これらの情報端末に接続し、情報端末の機能を拡充するような周辺機器も増えつつある。今後、情報端末の用途拡大やユーザニーズの多様化に伴い、周辺機器の種類は更に増えていくものと考えられる。このような周辺機器の中には個人情報を管理するようなものも考えられる。例えば、ユーザの健康管理を行うような周辺機器である。健康管理用周辺機器は、センサを用いてユーザの体調データや血液データを取得して病院に送付し、更に診察結果を受信することで遠隔からいつでも診療を受けさせることができる。このようなユーザの体調データや血液データは通常機密性の高い情報であり、他人から不用意に閲覧されたり、利用されたりしないように注意を払う必要がある。
【０００３】
一方、周辺機器は常に情報端末に接続されているわけではなく、利用時に必要に応じて着脱を繰り返す。そのため、非接続時に紛失する可能性がある。通信機能やバッテリーを積んでいない周辺機器は情報端末とは異なり、遠隔から探索したり内部の情報を消去したりすることができない。そこで、これらの周辺機器を紛失した際に第三者から周辺機器内部の個人情報を保護する仕組みが必要になる。
【０００４】
特許文献１では、ユーザが端末内に保存された情報を読み出す際は必ずサーバ装置に問い合わせを行い、当該ユーザが情報を読み出す権限があるかどうかを確認する手法がとられている。これにより端末を紛失し、第三者に持ち去られた場合でも情報の漏洩を防ぐことはできる。
【先行技術文献】
【特許文献】
【０００５】
【特許文献１】特開２００７−２３３５２９号公報
【発明の概要】
【発明が解決しようとする課題】
【０００６】
しかしながら、特許文献１に記載された方法では、通信環境がない場所で正規のユーザが利用しようとした場合、サーバ装置への問い合わせができないため端末の情報や機能を利用できなくなる。また、情報自体は端末の中に残ったままになっているため、端末にハッキングが行われた場合等、情報の漏洩や不正利用を防げない等のケースが考えられる。情報をサーバに保存しておき、利用の度にサーバから情報をダウンロードし、利用後には端末内の情報を残さない方法も提案されているが、やはり端末が通信環境にない場合は情報自体を利用することができなくなってしまう。
【０００７】
本発明は、以上の問題点を解決するためになされたものであり、周辺機器に記憶されている情報や周辺機器の機能を適切に保護することができる周辺機器、サーバ装置、情報システム及び制御方法を提供することを目的とする。
【課題を解決するための手段】
【０００８】
上記目的を達成するために、本発明に係る周辺機器は、所定の機能を有し、情報端末に接続されて当該情報端末から当該所定の機能が利用される周辺機器であって、接続される情報端末を識別する識別情報を記憶する端末情報記憶部と、接続された情報端末から、当該情報端末を識別する識別情報を取得する端末情報取得手段と、端末情報記憶部に記憶された識別情報と端末情報取得手段によって取得された識別情報とを比較する比較手段と、接続された情報端末による所定の機能の利用を制御するための制御情報を記憶する制御情報記憶部と、比較手段による比較結果と制御情報記憶部に記憶された制御情報とに基づいて、接続された情報端末による所定の機能の利用を制御する制御手段と、を備えることを特徴とする。
【０００９】
本発明に係る周辺機器では、予め記憶した識別情報と接続された情報端末から取得された識別情報とが比較されて、その比較結果に基づいて、接続された情報端末による所定の機能の利用が制御される。即ち、本発明に係る周辺機器によれば、特定の（識別情報を有する）情報機器にのみ周辺機器の機能を利用させることができる。また、上記の制御は周辺機器と接続された情報端末との間で通信が行うことができれば可能なものである。これらにより、本発明に係る周辺機器によれば、周辺機器に記憶されている情報や周辺機器の機能を適切に保護することができる。
【００１０】
制御手段は、接続された情報端末による所定の機能の利用を許可する場合に所定の期限まで利用を許可することが望ましい。この構成によれば、情報端末による、周辺機器の機能の利用の制御をより細かく行うことができ、周辺機器に記憶されている情報や周辺機器の機能を更に適切に保護することができる。
【００１１】
情報端末は、所定のサーバ装置との間で通信を行う通信機能を有しており、周辺機器は、接続された情報端末の通信機能によって取得された、接続される情報端末を識別する識別情報を取得して、端末情報記憶部に記憶させる端末情報登録手段を更に備えることが望ましい。この構成によれば、周辺機器の機能の利用の制御対象となる情報端末を変化させることができ、ユーザの利便性が向上する。
【００１２】
端末情報登録手段は、制御手段によって接続された情報端末による所定の機能の利用を禁止する制御が行われる場合に、接続される情報端末を識別する識別情報を取得して、端末情報記憶部に記憶させ、再度、比較手段に対して比較を行わせることが望ましい。この構成によれば、情報端末による所定の機能の利用を禁止する場合のみに識別情報が取得される。従って、周辺機器において効率的に識別情報が取得される。
【００１３】
情報端末は、所定のサーバ装置との間で通信を行う通信機能を有しており、周辺機器は、接続された情報端末の通信機能によって取得された、制御手段による制御の内容を示す制御情報を取得して、制御情報記憶部に記憶させる制御内容登録手段を更に備えることが望ましい。この構成によれば、周辺機器の機能の利用の制御内容を変化させることができ、ユーザの利便性が向上する。あるいは、場合に応じて、適切に周辺機器の機能を制御することができる。
【００１４】
周辺機器の所定の機能は、情報を記憶する機能であり、制御手段は、比較手段による比較結果に基づいて、周辺機器の所定の機能によって記憶された情報を消去する、ことが望ましい。この構成によれば、周辺機器の利用権限のない情報端末が接続されたときに、周辺機器に記憶された情報を消去することができるので、周辺機器に記憶されている情報を第三者にアクセスさせることを確実に防止することができる。
【００１５】
本発明に係るサーバ装置は、所定の機能を有し、情報端末に接続されて当該情報端末から当該所定の機能が利用される周辺機器が接続された情報端末との間で通信を行うサーバ装置であって、周辺機器に接続される情報端末を識別する識別情報、又は周辺機器における制御の内容を示す制御情報を記憶するサーバ装置側記憶部と、情報端末からサーバ装置側情報記憶部に記憶された情報の要求を受信して、当該要求に応じた情報をサーバ装置側情報記憶部から取得して、当該情報端末に送信する情報提供手段と、を備えることを特徴とする。このようなサーバ装置が設けられることによって、上記の周辺機器を確実に機能させることができる。
【００１６】
本発明に係る情報システムは、上記の周辺機器と、接続された情報端末とを含んで構成されることを特徴とする。本発明に係る情報システムは、上記の周辺機器と、上記のサーバ装置とを含んで構成されることを特徴とする。本発明に係る情報システムは、上記の周辺機器と、上記のサーバ装置と、上記の情報端末を含んで構成されることを特徴とする。
【００１７】
ところで、本発明は、上記のように周辺機器、サーバ装置及び情報システムの発明として記述できる他に、以下のように制御方法の発明としても記述することができる。これはカテゴリが異なるだけで、実質的に同一の発明であり、同様の作用及び効果を奏する。
【００１８】
本発明に係る制御方法は、所定の機能を有し、情報端末に接続されて当該情報端末から当該所定の機能が利用されると共に、接続される情報端末を識別する識別情報を記憶する端末情報記憶部と接続された情報端末による所定の機能の利用を制御するための制御情報を記憶する制御情報記憶部とを備える周辺機器による制御方法であって、接続された情報端末から、当該情報端末を識別する識別情報を取得する端末情報取得ステップと、端末情報記憶部に記憶された識別情報と端末情報取得ステップにおいて取得された識別情報とを比較する比較ステップと、比較ステップにおける比較結果と制御情報記憶部に記憶された制御情報とに基づいて、接続された情報端末による所定の機能の利用を制御する制御ステップと、を含むことを特徴とする。
【００１９】
情報端末は、所定のサーバ装置との間で通信を行う通信機能を有しており、制御方法は、接続された情報端末の通信機能によって取得された、接続される情報端末を識別する識別情報を取得して、端末情報記憶部に記憶させる端末情報登録ステップを更に含むことが望ましい。情報端末は、所定のサーバ装置との間で通信を行う通信機能を有しており、制御方法は、接続された情報端末の通信機能によって取得された、制御手段による制御の内容を示す制御情報を取得して、制御情報記憶部に記憶させる制御内容登録ステップを更に含むことが望ましい。
【００２０】
本発明に係る制御方法は、所定の機能を有し、情報端末に接続されて当該情報端末から当該所定の機能が利用される周辺機器が接続された情報端末との間で通信を行うと共に、周辺機器に接続される情報端末を識別する識別情報、又は周辺機器における制御の内容を示す制御情報を記憶するサーバ装置側記憶部を備えるサーバ装置による制御方法であって、情報端末からサーバ装置側情報記憶部に記憶された情報の要求を受信して、当該要求に応じた情報をサーバ装置側情報記憶部から取得して、当該情報端末に送信する情報提供ステップを含むことを特徴とする。
【００２１】
本発明に係る制御方法は、上記の周辺機器と、接続された情報端末とを含む情報システムによる制御方法であって、周辺機器による上記の制御方法を含むことを特徴とする。本発明に係る制御方法は、上記の周辺機器と、上記のサーバ装置とを含む情報システムによる制御方法であって、周辺機器による上記の制御方法とサーバ装置による上記の制御方法とを含むことを特徴とする。本発明に係る制御方法は、上記の周辺機器と、上記のサーバ装置と、上記の情報端末とを含む情報システムによる制御方法であって、周辺機器による上記の制御方法とサーバ装置による上記の制御方法とを含むことを特徴とする。
【発明の効果】
【００２２】
本発明では、特定の情報機器にのみ周辺機器の機能を利用させることができ、また、上記の制御は周辺機器と接続された情報端末との間で通信が行うことができれば可能なものである。これらにより、本発明によれば、周辺機器に記憶されている情報や周辺機器の機能を適切に保護することができる。
【図面の簡単な説明】
【００２３】
【図１】本発明の実施形態に係る周辺機器及び情報端末であるモバイルデバイスの機能構成を示す図である。
【図２】周辺機器の端末情報記憶部に記憶される情報を示すテーブルである。
【図３】周辺機器の制御情報記憶部に記憶される情報を示すテーブルである。
【図４】本発明の実施形態に係る周辺機器のハードウェア構成を示す図である。
【図５】本発明の実施形態に係る情報端末であるモバイルデバイスのハードウェア構成を示す図である。
【図６】本発明の実施形態に係る周辺機器で実行される処理（制御方法）を示すフローチャートである。
【図７】本発明の実施形態に係る周辺機器、情報端末であるモバイルデバイス及びサーバ装置の構成を示す図である。
【図８】本発明の実施形態に係るサーバ装置の機能構成を示す図である。
【図９】本発明の実施形態に係るサーバ装置のハードウェア構成を示す図である。
【図１０】本発明の実施形態に係る周辺機器及びサーバ装置等で実行される処理（制御方法）を示すシーケンス図である。
【図１１】本発明の実施形態に係る周辺機器及びサーバ装置等で実行される処理（制御方法）の別の例を示すシーケンス図である。
【図１２】本発明の実施形態に係る周辺機器及びサーバ装置等で実行される処理（制御方法）の別の例を示すシーケンス図である。
【発明を実施するための形態】
【００２４】
以下、図面と共に本発明に係る周辺機器、サーバ装置、情報システム及び制御方法の好適な実施形態について詳細に説明する。なお、図面の説明においては同一要素には同一符号を付し、重複する説明を省略する。
【００２５】
（第１実施形態）
図１にお本実施形態に係る周辺機器１０を示す。周辺機器１０は、所定の機能を有しており、例えば、図１に示すモバイルデバイス２０のような情報端末に接続されて、接続された情報端末から当該所定の機能が利用されるものである。周辺機器１０とモバイルデバイス２０とは、専用コネクタを介して直接接続することができる。但し、接続方法は、直接接続に限られるものではなく、ケーブルや無線による接続としてもよい。ケーブル接続には、ＵＳＢ（UniversalSerial Bus）、有線ＬＡＮ（Local Area Network）、シリアル、パラレル接続等がある。無線接続にはＢｌｕｅｔｏｏｔｈ、ＷＬＡＮ（WirelessＬＡＮ）、ＵＷＢ（Ultra Wide Band）、ＺｉｇＢｅｅ、赤外線等がある。
【００２６】
モバイルデバイス２０により利用される周辺機器１０の機能は、情報を記憶する機能である。モバイルデバイス２０は、周辺機器１０に記憶されている情報を読み取ったり、周辺機器１０に情報を記憶させたりすることができる。ここで、記憶される情報は、例えば、ユーザの血圧、脈拍、体温、血液成分等の計測を行ったデータ等の個人情報等の秘匿性が高い情報である。即ち、周辺機器１０は、健康管理デバイスである。
【００２７】
モバイルデバイス２０は、周辺機器１０の機能を利用する情報端末である。具体的には、モバイルデバイス２０は、携帯電話機、スマートフォン、デスクトップパソコン、ノートパソコン、ＰＤＡ、ゲーム機器等に相当する。モバイルデバイス２０には、当該モバイルデバイス２０を一意に特定できるような識別情報が割り振られている。識別情報は、例えば、数字列からなるＩＤ番号（端末ＩＤ）が用いられ、具体的には、電話番号やモバイルデバイス２０の製造番号、ＳＩＭカードの番号、正規ユーザが決めた任意の番号等が用いられる。また、モバイルデバイス２０は、移動体通信網やインターネット等の所定のネットワークに接続し、ネットワークに接続されたネットワークリソース（サーバ装置等）との間で情報を送受信することができる。周辺機器１０とモバイルデバイス２０とは、情報システム３０を構成する。
【００２８】
引き続いて、周辺機器１０及びモバイルデバイス２０の本発明に係る機能について詳細に説明する。図１に示すように、周辺機器１０は、個人情報記憶部１０１と、センサ１０２と、入出力機器１０３と、通信機能部１０４と、端末情報記憶部１０５と、端末情報取得部１０６と、比較部１０７と、制御情報記憶部１０８と、制御部１０９と、端末情報登録部１１０と、制御情報登録部１１１とを備えて構成されている。
【００２９】
個人情報記憶部１０１は、周辺機器１０の機能として個人情報を記憶する手段である。個人情報記憶部１０１に記憶される情報は、通信機能部１０４を介してモバイルデバイス２０からアクセスされえる。
【００３０】
センサ１０２及び入出力機器１０３は、個人情報記憶部１０１に記憶される個人情報を取得する手段である。具体的には、センサ１０２あるいは入出力機器１０３は、ユーザの体調データや血液データ等を取得して、個人情報記憶部１０１に記憶させる。
【００３１】
通信機能部１０４は、接続されたモバイルデバイス２０との間で情報の送受信を行う手段である。モバイルデバイス２０に情報を出力する場合（モバイルデバイス２０が周辺機器１０に記憶された情報を取得する場合を含む）は、通信機能部１０４はモバイルデバイス２０に出力する情報を他の機能手段から受け付けて、モバイルデバイス２０に出力する。モバイルデバイス２０から情報を入力する場合は、通信機能部１０４は、モバイルデバイス２０からの情報を入力して、（情報の内容に応じて）他の機能手段に出力する。
【００３２】
端末情報記憶部１０５は、接続されるモバイルデバイス２０を識別する識別情報を記憶する端末情報記憶部である。端末情報記憶部１０５は、例えば、図２に示すテーブルに情報を格納することによって、モバイルデバイス２０を識別する識別情報を記憶する。図２のテーブルに示すように、端末情報記憶部１０５は、端末ＩＤ、アクセス権及び有効期限をそれぞれ対応付けて記憶する。端末情報記憶部１０５が記憶する端末ＩＤに係るモバイルデバイス２０は、周辺機器１０の機能の利用の制御が（モバイルデバイス２０に応じて）設定されているモバイルデバイス２０である。アクセス権は、当該端末ＩＤに応じた制御の内容を示す情報である。ここでは、アクセス権のＩＤのみ保持され、具体的な制御内容は、後述するように別に記憶される。有効期限は、当該制御が有効となる期間を示した情報である。例えば、有効期限が３ｈ３０ｍｉｎとは、制御開始から３時間３０分間、制御が継続されることを示している。これらの情報は、後述するように比較部１０７によって参照される。なお、識別情報の構成は、上記に限られるものではなく、アクセス回数やデータ通信量等を加えてもよい。
【００３３】
端末情報記憶部１０５に記憶される情報は周辺機器１０にモバイルデバイス２０が接続される際には予め記憶（設定）されている。予めの設定は、ユーザによって周辺機器１０に対して直に行われてもよいし、また、後述するように端末情報登録部１１０によって行われてもよい。
【００３４】
端末情報取得部１０６は、周辺機器１０に接続されたモバイルデバイス２０から、当該モバイルデバイス２０を識別する識別情報である端末ＩＤを取得する端末情報取得手段である。具体的には、端末情報取得部１０６は、周辺機器１０がモバイルデバイス２０に接続されると、当該接続を検知して、モバイルデバイス２０に対して端末ＩＤを要求する。要求を受けたモバイルデバイス２０は、当該モバイルデバイス２０の端末ＩＤを周辺機器１０に送信し、端末情報取得部１０６はこれを受信することによって端末ＩＤを取得する。また、端末情報取得部１０６は、モバイルデバイス２０が周辺機器１０に接続された際に自発的に送信した端末ＩＤを受信することによって、端末ＩＤを取得することとしてもよい。端末情報取得部１０６は、取得した端末ＩＤを比較部１０７に入力する。
【００３５】
比較部１０７は、端末情報記憶部１０５に記憶された端末ＩＤと端末情報取得部１０６によって取得された端末ＩＤとを比較する比較手段である。比較部１０７は、端末情報取得部１０６から端末ＩＤが入力されると、端末情報記憶部１０５に記憶された端末ＩＤを読み出し、読み出した端末ＩＤの何れかと端末情報取得部１０６から入力された端末ＩＤとが一致するかどうか照合する。照合の結果、読み出した端末ＩＤの何れかと端末情報取得部１０６から入力された端末ＩＤとが一致した場合、比較部１０７は、その旨を制御部１０９に通知する。また、その場合、比較部１０７は、一致した端末ＩＤに対応付けられて端末情報記憶部１０５に記憶されたアクセス権と有効期限の情報とを読み出し、併せて制御部１０９に通知する。照合の結果、読み出した端末ＩＤの何れとも端末情報取得部１０６から入力された端末ＩＤとが一致しなかった場合、比較部１０７は、その旨を制御部１０９に通知する。
【００３６】
制御情報記憶部１０８は、制御部１０９によるモバイルデバイス２０による周辺機器１０の機能の利用の制御の内容を示す制御情報（予約動作情報）を記憶する制御情報記憶部である。制御情報記憶部１０８は、例えば、図３に示すテーブルに情報を格納することによって、制御情報を記憶する。図３のテーブルに示すように、制御情報記憶部１０８は、アクセス権のＩＤと、制御の具体的内容（動作リスト）を示す情報とをそれぞれ対応付けて記憶する。これらの情報は、後述するように制御部１０９によって参照される。
【００３７】
制御情報記憶部１０８に記憶される情報は周辺機器１０にモバイルデバイス２０が接続される際には予め記憶（設定）されている。予めの設定は、ユーザによって周辺機器１０に対して直に行われてもよいし、また、後述するように制御情報登録部１１１によって行われてもよい。
【００３８】
制御部１０９は、比較部１０７による比較結果と制御情報記憶部１０８に記憶された制御情報とに基づいて、周辺機器１０に接続されたモバイルデバイス２０による周辺機器１０の機能の利用を制御する制御手段である。基本的には、比較部１０７による比較結果が、読み出した端末ＩＤの何れかと端末情報取得部１０６から入力された端末ＩＤとが一致したものである場合、制御部１０９は、モバイルデバイス２０による周辺機器１０の機能の利用を許可する制御を行う。一方、比較部１０７による比較結果が読み出した端末ＩＤの何れとも端末情報取得部１０６から入力された端末ＩＤとが一致しなかったものである場合、制御部１０９は、モバイルデバイス２０による周辺機器１０の機能の利用を禁止する制御を行う。但し、この逆の制御（一致した場合、禁止し、一致しなかった場合、許可する）を行うこととしてもよい。
【００３９】
制御部１０９は、比較部１０７からアクセス権のＩＤが入力された場合、制御情報記憶部１０８から当該アクセス権のＩＤに対応する動作リストを読み出し、動作リストに応じた制御を行う。例えば、アクセス権のＩＤが“Ａ”であった場合、ユニット（センサ１０２等）の使用を許可し、また、個人情報記憶部１０１に記憶された情報の読み取りを許可する制御を行う。この制御は、制御部１０９から、制御対象である個人情報記憶部１０１等に制御内容に応じた制御信号が送信されること等によって行われる。
【００４０】
また、制御部１０９は、比較部１０７から有効期限の情報が入力された場合、入力された有効期限の間のみ当該制御を行う。即ち、制御部１０９は、周辺機器１０に接続されたモバイルデバイス２０による周辺機器１０の機能の利用を許可する場合に所定の期限まで利用を許可する。そのため、制御部１０９は、タイマ機能や時計機能を有しており、制御開始からの時間（あるいは、モバイルデバイス２０が接続されてからの時間でもよい）を計測して、有効期限の間のみ当該制御を行うようにする。あるいは、周辺機器１０に接続されたモバイルデバイス２０から、接続時刻と切断時刻とを取得することによって接続時間の計測を行ってもよい。
【００４１】
また、制御部１０９は、比較部１０７から、読み出した端末ＩＤの何れとも端末情報取得部１０６から入力された端末ＩＤとが一致しなかったと通知された場合、制御部１０９は、制御情報記憶部１０８からＩＤが一致しなかった場合の動作リストを読み出し、動作リストに応じた制御を行う。通常、ＩＤが一致しない場合は、利用権限を有していないモバイルデバイス２０であるので、周辺機器１０の機能の利用を禁止する制御を行う。また、このような場合、個人情報記憶部１０１に記憶された情報の保護のため、例えば不正な取得等がされないように、図３に示すようにＩＤが２回一致しなかったら、制御部１０９は、個人情報記憶部１０１に記憶された情報を消去する。情報の保護手段は、消去以外にも、情報を予め暗号化しておき、モバイルデバイス２０が識別されない（端末ＩＤが一致しない）と暗号化が解除されない、情報（ファイル）自体があるように見えない、偽のファイルを提示する等の制御（動作）を行うこととしてよい。
【００４２】
また、制御部１０９は、比較部１０７による端末ＩＤの比較結果（モバイルデバイス２０の識別結果）をユーザに通知する手段を備えておいてもよい。具体的には、周辺機器１０あるいはモバイルデバイス２０に備えられるディスプレイやバイブレータ、音等によりモバイルデバイス２０の識別結果をユーザに伝えることとしてもよい。これにより、ユーザは識別結果に応じた操作を行うことができる。
【００４３】
端末情報登録部１１０は、周辺機器１０に接続されたモバイルデバイス２０の通信網へ接続する通信機能によって取得された、識別情報を取得して端末情報記憶部１０５に記憶させる端末情報登録手段である。制御情報登録部１１１は、周辺機器１０に接続されたモバイルデバイス２０の通信網へ接続する通信機能によって取得された、制御部１０９による制御の内容を示す制御情報を取得して、制御情報記憶部１０８に記憶させる（制御部１０９に対して当該制御情報によって示される制御を行わせる）制御内容登録手段である。端末情報登録部１１０及び制御情報登録部１１１の機能については、後述の第２実施形態において詳細に後述する。以上が、周辺機器１０の機能である。
【００４４】
続いて、図４に本実施形態に係る周辺機器１０のハードウェア構成を示す。図４に示すように、周辺機器１０は、ＣＰＵ（Central Processing Unit）１００１、主記憶装置であるＲＡＭ（Random Access Memory）１００２及びＲＯＭ（ReadOnly Memory）１０３、モバイルデバイス接続モジュール１００４並びにセンサ１０２等のハードウェアを備えるコンピュータを備えて構成される。これらの構成要素がプログラム等により動作することにより、周辺機器１０の上述した機能が発揮される。以上が、周辺機器１０の説明である。
【００４５】
引き続いて、モバイルデバイス２０について説明する。図１に示すようにモバイルデバイス２０は、識別情報記憶部２０１と、端末側通信機能部２０２と、外部通信機能部２０３とを備えて構成されている。
【００４６】
識別情報記憶部２０１は、モバイルデバイス（自装置）２０の識別情報を記憶した手段である。端末側通信機能部２０２は、接続された周辺機器１０との間で情報の送受信を行う手段である。端末側通信機能部２０２は、接続された周辺機器１０からの要求に応じて、あるいは自発的に識別情報記憶部２０１から識別情報を読み出し、周辺機器１０に送信する。
【００４７】
外部通信機能部２０３は、ネットワークに接続されたサーバ装置等にアクセスし、情報の送受信をするための手段である。外部通信機能部２０３による、具体的なネットワークへのアクセス方法としては、ＵＳＢ、有線ＬＡＮ、シリアル、パラレル接続等がある。あるいは、Ｂｌｕｅｔｏｏｔｈ、ＷＬＡＮ、ＵＷＢ、ＺｉｇＢｅｅ、赤外線通信等の無線通信が用いられてもよい。なお、外部通信機能部２０３は、必ずしもモバイルデバイス２０に備えられていなくてもよい。
【００４８】
また、モバイルデバイス２０には、周辺機器１０の機能を利用するための機能手段等も備えられているが、それらの手段についての説明は省略する。以上が、モバイルデバイス２０の機能である。
【００４９】
続いて、図５に本実施形態に係るモバイルデバイス２０のハードウェア構成を示す。図５に示すように、モバイルデバイス２０は、ＣＰＵ２００１、ＲＡＭ２００２、ＲＯＭ２００３、操作部２００４、無線通信部２００５、ディスプレイ２００６、アンテナ２００７及び周辺機器接続モジュール２００８等のハードウェアにより構成されている。これらの構成要素がプログラム等により動作することにより、上述したモバイルデバイス２０の機能が発揮される。以上が、モバイルデバイス２０の説明である。
【００５０】
引き続いて、図６のフローチャートを用いて、本実施形態の周辺機器１０及びモバイルデバイス２０で実行される処理（制御方法）を説明する。本処理は、周辺機器１０とモバイルデバイス２０とが接続されることによって開始される（Ｓ１０１）。この接続は、例えば、周辺機器１０の機能を利用しようとするモバイルデバイス２０のユーザの操作等により行われる。
【００５１】
周辺機器１０では、端末情報取得部１０６によってモバイルデバイス２０との接続が検知され、通信機能部１０４を介してモバイルデバイスに対して端末ＩＤが要求される。モバイルデバイス２０では、端末側通信機能部２０２によって当該要求が受信される。続いて、端末側通信機能部２０２によって当該要求に応じて識別情報記憶部２０１から識別情報が読み出されて、周辺機器１０に送信される。周辺機器１０では、端末情報取得部１０６によって、モバイルデバイス２０からの端末ＩＤが受信される（Ｓ１０２、端末情報受信ステップ）。受信された端末ＩＤは、端末情報取得部１０６から比較部１０７に出力される。
【００５２】
続いて、比較部１０７によって、端末情報記憶部１０５に記憶された端末ＩＤと端末情報取得部１０６によって取得された端末ＩＤとが比較、照合される（Ｓ１０３、比較ステップ）。比較結果に応じた情報が、比較部１０７から制御部１０９に出力される。
【００５３】
照合の結果、読み出した端末ＩＤの何れかと端末情報取得部１０６から入力された端末ＩＤとが一致した場合、制御部１０９では、比較部１０７から入力された情報であるアクセス権のＩＤ及び有効期限が確認される（Ｓ１０４、制御ステップ）。有効期限が設定されていない場合（Ｓ１０５）には、制御部１０９によって、アクセス権のＩＤに対応付けて制御情報記憶部１０８に記憶された情報により示される制御内容の制御（予約動作）が実行される。例えば、周辺機器１０の機能の利用が許可されたモバイルデバイス２０が接続されていた場合は、個人情報記憶部１０１に記憶された情報が通信機能部１０４を介してモバイルデバイス２０に開示される（Ｓ１０６、制御ステップ）。
【００５４】
有効期限が設定されていた場合は、制御部１０９によって、有効期限が切れていないか自身のタイマ等によって記憶された接続時間の情報と照合される（Ｓ１０７、制御ステップ）。有効期限内であれば、制御部１０９のタイマ等によってモバイルデバイス２０の接続時間のカウントが開始される（Ｓ１０８、制御ステップ）。接続時間のカウントの開始後、制御部１０９によって、アクセス権のＩＤに対応付けて制御情報記憶部１０８に記憶された情報により示される制御内容の制御（予約動作）が実行される（Ｓ１０６、制御ステップ）。ここで、有効期限が切れている場合には、制御部１０９から通信機能部１０４を介してモバイルデバイス２０に有効期限が切れている旨が通知され、個人情報記憶部１０１に記憶された情報は開示されない（Ｓ１０９、制御ステップ）。
【００５５】
Ｓ１０３において、照合の結果、読み出した端末ＩＤの何れかと端末情報取得部１０６から入力された端末ＩＤとが一致しなかった場合、制御部１０９では、接続されたモバイルデバイス２０を不正なモバイルデバイスとして、個人情報記憶部１０１に記憶された情報を保護する制御（動作）が行われる。保護する動作とは、例えば、個人情報記憶部１０１に記憶された情報を消去することである（Ｓ１１０、制御ステップ）。以上が、本実施形態の周辺機器１０及びモバイルデバイス２０で実行される処理である。
【００５６】
上述した実施形態では、特定の（端末ＩＤを有する）モバイルデバイス２０にのみ周辺機器１０の機能を利用させることができる。また、上記の制御は周辺機器１０と接続されたモバイルデバイス２０との間で通信が行うことができれば可能なものである。これらにより、本実施形態によれば、周辺機器１０に記憶されている情報や周辺機器１０の機能を適切に保護することができる。
【００５７】
また、本発明のように周辺機器１０の機能の利用可否の判断を周辺機器１０自体にすることによって、周辺機器１０に記憶された情報を更新することによって、周辺機器１０の機能の適切な保護が可能になり、更新を簡便に行うことができる。更に、周辺機器１０のみに機能を保護する識別情報等の情報を保持させておくことで、識別情報が他の端末に漏洩する等のリスクを低減させることができる。
【００５８】
また、本実施形態のように、制御に有効期限を設定することとすれば、周辺機器１０の機能の利用の制御をより細かく行うことができ、周辺機器１０に記憶されている情報や周辺機器の機能を更に適切に保護することができる。
【００５９】
また、本実施形態のように適切な権限を有していないモバイルデバイス２０が周辺機器１０に接続され、周辺機器１０に記憶された情報にアクセスされえる場合に記憶された情報を消去することにすれば、周辺機器１０に記憶されている情報を第三者にアクセスさせることを確実に防止することができる。従って、仮に周辺機器１０を紛失したとしても、自動的に周辺機器１０に記憶される情報が保護されるので、個人情報の不正利用や漏洩を防ぐことができる。但し、上記のような情報の消去は必ずしも行われる必要は無く、アクセス制限のみに止めておいてもよい。
【００６０】
上述した周辺機器１０は、情報を記憶する機能を有していたが、それ以外の機能を有する周辺機器であってもよい。また、上述した周辺機器１０では、周辺機器１０はユーザの体調データ等を管理する健康管理デバイスとしたがその他の用途のものであってもよい。例えば、静止画像や動画像を撮影するカメラ、音声データを取得、保存するマイク、位置情報を取得、保存するＧＰＳ（Global Positioning System）端末、テキストデータ等のドキュメントデータや写真や音声などのマルチメディアデータを保存するストレージ、ゲーム機器、接続された情報端末の特定の機能を使用可能にするドングルキー、クレジットカード等の情報を読み込むためのカードリーダ等であってもよい。また、別の情報端末自体を周辺機器としてみなすこととしてもよい。
【００６１】
（第２実施形態）
周辺機器１０を信頼する第三者に一時的に貸与する場合など、周辺機器１０に設定される識別情報や制御情報は、適宜更新されることが望ましい。上記の場合、周辺機器１０を貸し出されたユーザのモバイルデバイス２０ａが不正端末とみなされないように、貸し出されたユーザのモバイルデバイス２０ａを周辺機器１０の端末情報記憶部１０５に記憶しておく必要がある。また、制御情報記憶部１０８に記憶された制御情報を更新することで、貸し出されたユーザに応じて周辺機器１０の機能の利用範囲を限定することができる。本実施形態では、図７に示すように、上記の更新はネットワークＮ上のサーバ装置４０を用いて行われる。
【００６２】
本実施形態では、周辺機器１０に設定される識別情報や制御情報を随時、更新するために正規のユーザがネットワークＮ上のサーバ装置４０に識別情報及び制御情報を登録する。周辺機器１０が通信環境を利用できる状況にある場合は、サーバ装置４０から識別情報及び制御情報をダウンロードして、識別情報及び制御情報を更新することとしてもよい。
【００６３】
図７に示すようにサーバ装置４０は、ネットワークＮ上に配置されており、ネットワークＮを介して、正規ユーザのモバイルデバイス５０及び周辺機器１０を接続したモバイルデバイス２０ａからアクセスすることができる。ここで、ネットワークＮは、例えば、移動体通信網やインターネット等の通信ネットワークである。また、正規ユーザとは、周辺機器１０の所有者等、周辺機器１０を正規に利用できる権限を有するものである。また、周辺機器１０は、第１実施形態の周辺機器１０と同様の構成である。また、モバイルデバイス２０ａは、第１実施形態のモバイルデバイス２０と同様の構成であり、サーバ装置４０との間で情報の送受信する通信機能を有している。正規ユーザのモバイルデバイス５０は、サーバ装置４０との間で情報の送受信を行うことができる装置であればよい（必ずしも周辺機器１０と接続できる必要は無い）。また、周辺機器１０とサーバ装置４０とで、情報システム６０を構成している。また、情報システム６０には、モバイルデバイス２０ａが含まれていてもよい。
【００６４】
ここで、本実施形態に係るサーバ装置４０について説明する。図８に示すように、サーバ装置４０は、サーバ装置側通信機能部４０１と、サーバ装置側端末情報記憶部４０２と、サーバ装置側制御情報記憶部４０３と、サーバ装置有効期限判断部４０４とを備えて構成されている。
【００６５】
サーバ装置側通信機能部４０１は、ネットワークＮに接続されたモバイルデバイス等の通信機器との間で情報の送受信をするための手段である。サーバ装置側通信機能部４０１は、モバイルデバイス２０ａからのサーバ装置側端末情報記憶部４０２又はサーバ装置側制御情報記憶部４０３に記憶された情報の要求を受信して、当該要求に応じた情報をサーバ装置側端末情報記憶部４０２又はサーバ装置側制御情報記憶部４０３から取得して、モバイルデバイス２０ａに送信する情報提供手段でもある。
【００６６】
また、サーバ装置側通信機能部４０１は、正規ユーザのモバイルデバイス５０から、サーバ装置側端末情報記憶部４０２又はサーバ装置側制御情報記憶部４０３に記憶された情報の更新要求を受け付けて、当該更新要求に応じた情報の更新を行う。情報の更新を行う場合、サーバ装置側通信機能部４０１は、モバイルデバイス５０の識別（認証）を行い、更新権限を有するモバイルデバイス５０のみが更新を行えるようにしてもよい。サーバ装置側通信機能部４０１は、予めモバイルデバイス５０を識別するための情報（端末ＩＤ等）を予め記憶している。
【００６７】
サーバ装置側端末情報記憶部４０２は、周辺機器１０に接続されるモバイルデバイス２０を識別する端末ＩＤを記憶するサーバ装置側記憶部の一つである。サーバ装置側端末情報記憶部４０２は、周辺機器１０の端末情報記憶部１０５と同様に、例えば、図２に示すテーブルに情報を格納することによって、モバイルデバイス２０を識別する識別情報を記憶する。モバイルデバイス２０ａから識別情報の要求があった場合には、図２に示すテーブルの情報がモバイルデバイス２０ａに送信される。あるいは、既にモバイルデバイス２０ａに送信した情報を記憶しておき、更新された部分のみの情報が送信されてもよい。
【００６８】
サーバ装置側制御情報記憶部４０３は、周辺機器１０における制御の内容を示す制御情報を記憶するサーバ装置側記憶部の一つである。サーバ装置側制御情報記憶部４０３は、周辺機器の制御情報記憶部１０８と同様に、例えば、図３に示すテーブルに情報を格納することによって、制御情報を記憶する。モバイルデバイス２０ａから制御情報の要求があった場合には、図３に示すテーブルの情報がモバイルデバイス２０ａに送信される。あるいは、既にモバイルデバイス２０ａに送信した情報を記憶しておき、更新された部分のみの情報が送信されてもよい。以上が、サーバ装置４０の機能構成である。
【００６９】
なお、サーバ装置側端末情報記憶部４０２に記憶された情報のうち、サーバ装置側通信機能部４０１による更新の対象となるのは、端末ＩＤ、端末ＩＤに応じたアクセス権、及び端末ＩＤに応じた有効期限である。また、サーバ装置側制御情報記憶部４０３に記憶された情報のうち、更新の対象となるのは、アクセス権、及びアクセス権に応じた制御の内容である。また、サーバ装置側端末情報記憶部４０２及びサーバ装置側制御情報記憶部４０３は、周辺機器１０毎に情報を記憶し、周辺機器１０に対して情報を提供することとしてもよい。
【００７０】
また、サーバ装置４０では、サーバ装置側端末情報記憶部４０２及びサーバ装置側制御情報記憶部４０３に記憶された情報自体に有効期限を定めておき（サーバ装置側端末情報記憶部４０２及びサーバ装置側制御情報記憶部４０３に有効期限の情報を記憶させておく）、タイマ機能や時計機能を有するサーバ装置側有効期限判断部４０４を用いて情報自体の有効期限を監視してもよい。サーバ装置側有効期限判断部４０４が、当該有効期限が過ぎていると判断すると、サーバ装置側有効期限判断部４０４はサーバ装置側通信機能部４０１を通して、モバイルデバイス５０に有効期限切れを通知することとしてもよい。このような通知をすることにより、サーバ装置４０の情報の更新を促し、サーバ装置４０に記憶される情報が最新になれば、最新の識別情報及び制御情報でモバイルデバイスによる周辺機器１０の機能の利用を制御できる。
【００７１】
また、サーバ装置４０には、モバイルデバイス５０の顧客情報を管理している顧客情報管理サーバ装置に接続されており、当該顧客情報管理サーバ装置から識別情報を取得して、サーバ装置側端末情報記憶部４０２に格納させることとしてもよい。顧客情報は、モバイルデバイス５０が移動通信機能を利用している通信事業者によって管理されているものである。顧客情報としては、ユーザが用いているモバイルデバイスの端末ＩＤ等である。具体的には、主回線端末ＩＤと副回線端末ＩＤとの２つの端末ＩＤが顧客情報管理サーバ装置に保持されており、それらがサーバ装置４０により取得されて周辺機器１０により利用されるモバイルデバイス２０の識別情報として、サーバ装置側端末情報記憶部４０２に格納される。その場合のアクセス権及び有効期限等は、例えば、デフォルトとして予め設定されている。このようにサーバ装置４０が別の装置から自動的にサーバ装置側端末情報記憶部４０２及びサーバ装置側制御情報記憶部４０３に記憶される情報を取得することによって、ユーザが更新しなくても契約情報等に基づき自動的に更新が行われる。
【００７２】
図９にサーバ装置４０のハードウェア構成を示す。図９に示すようにサーバ装置４０は、ＣＰＵ４００１、主記憶装置であるＲＡＭ４００２及びＲＯＭ（Read Only Memory）４００３、通信を行うための通信モジュール４００４、並びにハードディスク等の補助記憶装置４００５等のハードウェアを備えるコンピュータを含むものとして構成される。これらの構成要素がプログラム等により動作することにより、上述したサーバ装置４０の機能が発揮される。以上が、サーバ装置４０の説明である。
【００７３】
続いて、本実施形態に係る周辺機器１０及びモバイルデバイス２０ａの機能について説明する。周辺機器１０において記憶される情報の更新は、端末情報登録部１１０及び制御情報登録部１１１によって行われる。
【００７４】
端末情報登録部１１０又は制御情報登録部１１１は、周辺機器１０に接続されたモバイルデバイス２０ａに対してサーバ装置４０に情報の要求を行うように制御を行う。当該制御を受けたモバイルデバイス２０ａは、外部通信機能部２０３の機能により、サーバ装置４０に対して識別情報又は制御情報の要求を行う。続いて、モバイルデバイス２０ａは、要求に応じてサーバ装置４０から送信された情報を受信し（ダウンロードし）、周辺機器１０に出力される。
【００７５】
周辺機器１０では、端末情報登録部１１０が識別情報を取得して端末情報記憶部１０５に記憶させる。また、制御情報登録部１１１が制御情報を取得して、制御情報記憶部１０８に記憶させる。この一連の機能によって、周辺機器１０の機能の利用制御対象になるモバイルデバイス２０の端末ＩＤ、周辺機器１０の機能の利用範囲を定めるアクセス権限、アクセス権限の有効期限、及びアクセス権限に応じた制御の内容を更新することができる。なお、アクセス権限に応じた制御の内容には、アクセス権限が無い場合、即ち、比較部１０７による照合の結果、端末ＩＤが一致しない場合の制御も含まれる。
【００７６】
また、（周辺機器１０からの制御ではなく）モバイルデバイス２０ａが自発的に、サーバ装置４０から情報を取得することとしてもよい。
【００７７】
上記の更新の処理は、例えば、ユーザからの周辺機器１０又はモバイルデバイス２０ａに対する操作をトリガとして行われることとしてもよい。また、周辺機器１０がモバイルデバイス２０ａに接続されたことをトリガとして行われてもよい。また、一定時間毎（例えば、１日毎）に行われてもよい。
【００７８】
また、端末情報記憶部１０５及び制御情報記憶部１０８に記憶された情報自体に有効期限を定めておき（端末情報記憶部１０５及び制御情報記憶部１０８に有効期限の情報を記憶させておく）、当該有効期限が過ぎると更新の処理が行われることとしてもよい。また、この場合、各情報の有効期限が過ぎている場合は、周辺機器１０の機能を利用できなくなるように制御してもよい。このように更新を行えば、最新の識別情報及び制御情報でモバイルデバイスによる周辺機器１０の機能の利用を制御できる。
【００７９】
更に、識別情報の更新の場合は、例えば、次のような処理が行われてもよい。比較部１０７の照合の結果、端末ＩＤが一致しなかった等で、制御部１０９によって、周辺機器１０に接続されたモバイルデバイス２０ａによる周辺機器１０の機能の利用を禁止する制御が行われる場合に、制御部１０９はその旨を端末情報登録部１１０に通知する。通知を受けた端末情報登録部１１０は、モバイルデバイス２０ａの通信機能を介して、サーバ装置４０から更新用の識別情報を取得する。端末情報登録部１１０は、取得した識別情報を端末情報記憶部１０５に記憶させる（端末情報記憶部１０５に記憶される識別情報を更新する）。続いて、端末情報登録部１１０は、比較部１０７に対して、更新された識別情報を用いて再度、識別情報の比較を行わせる。
【００８０】
引き続いて、図１０〜１２のシーケンス図を用いて、本実施形態の周辺機器１０、モバイルデバイス２０ａ、サーバ装置４０及び正規ユーザのモバイルデバイス５０で実行される処理（制御方法）を説明する。
【００８１】
図１０に示すように、まず、正規ユーザのモバイルデバイス５０からサーバ装置４０に対して、サーバ装置４０（のサーバ装置側端末情報記憶部４０２又はサーバ装置側制御情報記憶部４０３）に記憶された識別情報又は制御情報の更新要求が行われる（Ｓ２０１）。この更新要求は、正規ユーザのモバイルデバイス５０のユーザの、モバイルデバイス５０に対する操作によって行われる。また、この更新要求は、ネットワークＮを介して行われる。サーバ装置４０では、サーバ装置側通信機能部４０１によって当該更新要求が受信される。
【００８２】
続いて、サーバ装置４０では、サーバ装置側通信機能部４０１によって、更新要求に基づいて正規ユーザの識別が行われる（Ｓ２０２）。なお、正規ユーザの識別が行われるよう更新要求には、モバイルデバイス５０の端末ＩＤ等の識別用の情報がモバイルデバイス５０に含められている。上記の識別の結果、モバイルデバイス５０が更新権限を有していないと判断された場合、更新処理は行われない。
【００８３】
上記の識別の結果、モバイルデバイス５０が更新権限を有していると判断された場合、サーバ装置側通信機能部４０１によって、更新要求の内容に応じて、サーバ装置側端末情報記憶部４０２又はサーバ装置側制御情報記憶部４０３に格納された情報の更新が行われる（Ｓ２０３）。
【００８４】
その一方で、周辺機器１０とモバイルデバイス２０ａとの間の処理は、それらが接続されることによって開始される（Ｓ２１１）。この接続は、例えば、周辺機器１０の機能を利用しようとするモバイルデバイス２０ａのユーザの操作等により行われる。
【００８５】
周辺機器１０では、端末情報取得部１０６によってモバイルデバイス２０ａとの接続が検知され、通信機能部１０４を介してモバイルデバイスに対して端末ＩＤが要求される。モバイルデバイス２０ａでは、端末側通信機能部２０２によって当該要求が受信される（Ｓ２１２、端末情報受信ステップ）。続いて、端末側通信機能部２０２によって当該要求に応じて識別情報記憶部２０１から識別情報が読み出されて、周辺機器１０に送信される。周辺機器１０では、端末情報取得部１０６によって、モバイルデバイス２０ａからの端末ＩＤが受信される（Ｓ２１３、端末情報受信ステップ）。受信された端末ＩＤは、端末情報取得部１０６から比較部１０７に出力される。
【００８６】
続いて、比較部１０７によって、端末情報記憶部１０５に記憶された端末ＩＤと端末情報取得部１０６によって取得された端末ＩＤとが比較、照合される（Ｓ２１４、比較ステップ）。比較結果に応じた情報が、比較部１０７から制御部１０９に出力される。
【００８７】
照合の結果、読み出した端末ＩＤの何れかと端末情報取得部１０６から入力された端末ＩＤとが一致しなかった場合（識別ＮＧとなった場合）、制御部１０９から端末情報登録部１１０に、モバイルデバイス２０ａによる周辺機器１０の機能の利用を禁止する制御が行われる旨が通知される。続いて、通知を受けた端末情報登録部１１０によって、モバイルデバイス２０ａの通信機能を介して、サーバ装置４０に対して、更新用の識別情報、即ち、端末情報記憶部１０５に記憶されている情報の更新用の情報が要求（更新の問い合わせ）される（Ｓ２１５、端末情報登録ステップ）。また、この要求の際に併せて、制御情報登録部１１１によって、モバイルデバイス２０ａの通信機能を介して、制御情報記憶部１０８に記憶されている情報（制御情報）の更新用の情報を要求されてもよい（制御情報登録ステップ）。また、この要求は、ネットワークＮを介して行われる。また、この要求には、周辺機器１０を特定する情報が含められており、サーバ装置４０において要求に係る周辺機器１０を特定できるようにしておいてもよい。
【００８８】
サーバ装置４０では、サーバ装置側通信機能部４０１によって当該要求が受信される。続いて、サーバ装置側通信機能部４０１によって、当該要求に応じた情報がサーバ装置側端末情報記憶部４０２又はサーバ装置側制御情報記憶部４０３から取得されて、モバイルデバイス２０ａに送信される（Ｓ２１６、情報提供ステップ）。サーバ装置４０から送信された情報はモバイルデバイス２０ａによって受信されて、周辺機器１０に入力される。
【００８９】
周辺機器１０では、端末情報登録部１１０又は制御情報登録部１１１によって、モバイルデバイス２０ａから入力された情報が取得され、当該情報に基づいて、端末情報記憶部１０５に記憶される識別情報、又は制御情報記憶部１０８に記憶された制御情報が更新される（Ｓ２１７、端末情報登録ステップ、制御情報登録ステップ）。情報の更新が行われると、端末情報登録部１１０から比較部１０７に対して、更新された識別情報を用いて再度、識別情報の比較を行わせる指示が行われる。
【００９０】
続いて、指示を受けた比較部１０７によって、端末情報記憶部１０５に新たに記憶された端末ＩＤと端末情報取得部１０６によって取得された端末ＩＤとが比較、照合される（Ｓ２１８、比較ステップ）。比較結果に応じた情報が、比較部１０７から制御部１０９に出力される。
【００９１】
照合の結果、新たに読み出した端末ＩＤの何れかと端末情報取得部１０６から入力された端末ＩＤとが一致した場合、制御部１０９では、当該端末ＩＤに対応する制御内容（アクセス権及び有効期限を含む）に基づいて、例えば、周辺機器１０の機能の利用が許可されたモバイルデバイス２０ａが接続されていた場合は、個人情報記憶部１０１に記憶された情報が通信機能部１０４を介してモバイルデバイス２０ａに開示される（Ｓ２１８、制御ステップ）。以上が、本実施形態の周辺機器１０、第三者のモバイルデバイス２０ａ、サーバ装置４０及び正規ユーザのモバイルデバイス５０で実行される処理である。
【００９２】
上述した処理では、識別情報と制御情報とを同時に更新する例を示したが、識別情報と制御情報とは別のタイミングで更新が行われてもよい。
【００９３】
図１１に示すように、上記の処理において識別情報の更新（Ｓ２１７）後に行われる比較、照合の結果、新たに読み出した端末ＩＤの何れかと端末情報取得部１０６から入力された端末ＩＤとが一致しなかった場合（Ｓ２２２、比較ステップ）、制御部１０９では、接続されたモバイルデバイス２０ａを不正なモバイルデバイスとして、個人情報記憶部１０１に記憶された情報を保護する制御（動作）が行われる。保護する動作とは、例えば、個人情報記憶部１０１に記憶された情報を消去することである（Ｓ２２２、制御ステップ）。
【００９４】
識別情報等の更新処理が行われる際に、周辺機器１０が接続されている第三者のモバイルデバイス２０ａが圏外等の通信環境の利用できない場所にいる場合は、あるいは意図的に通信ができないように制御されている場合は、周辺機器１０では既に記憶している識別情報に従って第三者のモバイルデバイス２０ａを識別する。即ち、図１２に示すように上述の処理におけるＳ２１４の後、周辺機器１０が第三者のモバイルデバイス２０ａを介してサーバ装置４０にアクセスできない（Ｓ２３１）とき、制御部１０９では、第三者のモバイルデバイス２０ａを識別できないものとして、個人情報記憶部１０１に記憶された情報を保護する制御（動作）が行われる。保護する動作とは、例えば、個人情報記憶部１０１に記憶された情報を消去することである（Ｓ２３２、制御ステップ）。
【００９５】
上述したようにサーバ装置４０に記憶された情報により、周辺機器１０（の端末情報記憶部１０５又は制御情報記憶部１０８）に記憶された識別情報又は制御情報が更新されるものとすれば、ユーザの利便性が向上する。具体的には、識別情報を更新することすれば、周辺機器１０の機能の利用の制御対象となる情報端末を変化させることができ、例えば、別のユーザのモバイルデバイスにも周辺機器１０の機能を利用させることができる。また、上述した例のように、モバイルデバイス２０ａの識別ができなかった場合に識別情報を更新するようにすれば、効率的に識別情報の更新が行われる。また、制御情報を更新することとすれば、場合に応じて適切に周辺機器１０の機能を制御することができる。例えば、周辺機器１０を紛失した場合に、周辺機器１０に行わせたい動作を随時更新することができる。
【００９６】
また、サーバ装置４０を介して更新が行われるので、手動で設定する必要がない。また、ネットワークＮが利用できる環境であり自動的に更新するようにすれば、常に最新の情報を利用することが可能であり、これにより最新の情報を基にセキュリティの確保を行うことができる。
【符号の説明】
【００９７】
１０…周辺機器、１０１…個人情報記憶部、１０２…センサ、１０３…入出力機器、１０４…通信機能部、１０５…端末情報記憶部、１０６…端末情報取得部、１０７…比較部、１０８…制御情報記憶部、１０９…制御部、１１０…端末情報登録部、１１１…制御情報登録部、１００１…ＣＰＵ、１００２…ＲＡＭ、１００３…ＲＯＭ、１００４…モバイルデバイス接続モジュール、２０，２０ａ…モバイルデバイス、２０１…識別情報記憶部、２０２…端末側通信機能部、２０３…外部通信機能部、２００１…ＣＰＵ、２００２…ＲＡＭ、２００３…ＲＯＭ、２００４…操作部、２００５…無線通信部、２００６…ディスプレイ、２００７…アンテナ、２００８…周辺機器接続モジュール、３０…情報システム、４０…サーバ装置、４０１…サーバ装置側通信機能部、４０２…サーバ装置側端末情報記憶部、４０３…サーバ装置側制御情報記憶部、４０４…サーバ装置側有効期間判断部、４００１…ＣＰＵ、４００２…ＲＡＭ、４００３…ＲＯＭ、４００４…通信モジュール、４００５…補助記憶装置、５０…モバイルデバイス、６０…情報システム、Ｎ…ネットワーク。
【図１】
2010176293.tif 000003
【図２】
2010176293.tif 000004
【図３】
2010176293.tif 000005
【図４】
2010176293.tif 000006
【図５】
2010176293.tif 000007
【図６】
2010176293.tif 000008
【図７】
2010176293.tif 000009
【図８】
2010176293.tif 000010
【図９】
2010176293.tif 000011
【図１０】
2010176293.tif 000012
【図１１】
2010176293.tif 000013
【図１２】
2010176293.tif 000014